【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
撮像動作に際し、撮像素子から撮像信号を読み出し、読み出した撮像信号に基づく画像データを一時記憶手段に一時記憶する撮像装置において、
撮像動作に先立ち、撮像動作の頻度を判断する判断手段と、
前記一時記憶手段に記憶する前記画像データのデータ量を、前記判断手段により判断された頻度に反して減少させる撮像動作制御手段と
を備えたことを特徴とする撮像装置。
【請求項２】
前記判断手段は、撮像動作に先立ち、直前の一定時間内における撮像動作の頻度を判断することを特徴とする請求項１記載の撮像装置。
【請求項３】
前記判断手段は、使用者の撮影指示に応答した撮像動作に先立ち、直前の一定時間内における撮像動作の頻度を判断することを特徴とする請求項２記載の撮像装置。
【請求項４】
前記撮像動作制御手段は、前記一時記憶手段に記憶する前記画像データのデータ量を、前記判断手段により判断された頻度に反比例して減少させることを特徴とする請求項１又は２，３記載の撮像装置。
【請求項５】
前記判断手段は、撮像動作に先立ち、直前の一定時間内における撮像動作の頻度を複数段階に分けて判断し、
前記撮像動作制御手段は、前記一時記憶手段に記憶する前記画像データのデータ量を、前記判断手段により判断された頻度に反比例して段階的に減少させることを特徴とする請求項４記載の撮像装置。
【請求項６】
前記判断手段は、撮像動作に先立ち、直前の一定時間内における撮像動作の回数に基づいて直前の一定時間内における撮像動作の頻度を判断することを特徴とする請求項４又は５記載の撮像装置。
【請求項７】
前記判断手段は、撮像動作に先立ち、前記一時記憶手段における前記画像データの一時記憶に使用可能な空き領域に基づいて直前の一定時間内における撮像動作の頻度を間接的に判断することを特徴とする請求項４又５記載の撮像装置。
【請求項８】
複数の読み出しモードに応じた異なる読み出し動作によって、前記撮像素子から各々の読み出しモードに応じた所定の画素数の画素情報からなる撮像信号を読み出す読み出し手段を備え、
前記撮像動作制御手段は、前記読み出し手段が撮像信号を読み出す際の読み出しモードを前記判断手段により判断された頻度に応じて制御することによって、前記一時記憶手段に記憶する前記画像データのデータ量を、前記判断手段により判断された頻度に反比例して減少させる
ことを特徴とする請求項４又は５，６いずれか記載の撮像装置。
【請求項９】
前記読み出し手段は、前記撮像素子から垂直方向及び／又は水平方向に所定の画素数分の信号電荷が加算された撮像信号を読み出す画素加算読み出しモードに対応し、
前記撮像動作制御手段は、前記読み出し手段が撮像信号を読み出す際の読み出しモードを必要に応じて前記画素加算読み出しモードに制御する
ことを特徴とする請求項８記載の撮像装置。
【請求項１０】
前記撮像動作制御手段は、前記読み出し手段が撮像信号を読み出す際の読み出しモードを、必要に応じ、信号電荷を加算する画素数が互いに異なる複数の画素加算読み出しモードのいずれかの画素加算読み出しモードに制御する
ことを特徴とする請求項９記載の撮像装置。
【請求項１１】
前記撮像素子から読み出した撮像信号に基づく前記画像データのビット幅を所定のビット幅に調整するビット幅調整手段を備え、
前記撮像動作制御手段は、前記ビット幅調整手段が調整する前記画像データのビット幅を制御することによって、前記一時記憶手段に記憶する前記画像データのデータ量を、前記判断手段により判断された頻度に反比例して減少させる
ことを特徴とする請求項４乃至７いずれか記載の撮像装置。
【請求項１２】
撮像動作に際し、撮像素子から撮像信号を読み出し、読み出した撮像信号に基づく画像データを一時記憶手段に一時記憶する撮像方法において、
撮像動作に先立ち、撮像動作の頻度を判断する工程と、
前記一時記憶手段に記憶する前記画像データのデータ量を、判断した頻度に反して減少させる工程と
を含むことを特徴とする撮像方法。
【請求項１３】
撮像動作に際し、撮像素子から撮像信号を読み出し、読み出した撮像信号に基づく画像データを一時記憶手段に一時記憶する撮影装置が有するコンピュータを、
撮像動作に先立ち、撮像動作の頻度を判断する判断手段と、
前記一時記憶手段に記憶する前記画像データのデータ量を、前記判断手段により判断された頻度に反して減少させる撮像動作制御手段と
して機能させることを特徴とする撮像制御プログラム。
【手続補正２】
【補正対象書類名】明細書
【補正対象項目名】０００５
【補正方法】変更
【補正の内容】
【０００５】
前記課題を解決するため請求項１記載の発明に係る撮像装置にあっては、撮像動作に際し、撮像素子から撮像信号を読み出し、読み出した撮像信号に基づく画像データを一時記憶手段に一時記憶する撮像装置において、撮像動作に先立ち、撮像動作の頻度を判断する判断手段と、前記一時記憶手段に記憶する前記画像データのデータ量を、前記判断手段により判断された頻度に反して減少させる撮像動作制御手段とを備えたことを特徴とする。
また、請求項２記載の発明に係る撮像装置にあっては、前記判断手段は、撮像動作に先立ち、直前の一定時間内における撮像動作の頻度を判断することを特徴とする。
【手続補正３】
【補正対象書類名】明細書
【補正対象項目名】０００６
【補正方法】変更
【補正の内容】
【０００６】
また、請求項３記載の発明に係る撮像装置にあっては、前記判断手段は、使用者の撮影指示に応答した撮像動作に先立ち、直前の一定時間内における撮像動作の頻度を判断することを特徴とする。
また、請求項４記載の発明に係る撮像装置にあっては、前記撮像動作制御手段は、前記一時記憶手段に記憶する前記画像データのデータ量を、前記判断手段により判断された頻度に反比例して減少させることを特徴とする。
【手続補正４】
【補正対象書類名】明細書
【補正対象項目名】０００７
【補正方法】変更
【補正の内容】
【０００７】
また、請求項５記載の発明に係る撮像装置にあっては、前記判断手段は、撮像動作に先立ち、直前の一定時間内における撮像動作の頻度を複数段階に分けて判断し、前記撮像動作制御手段は、前記一時記憶手段に記憶する前記画像データのデータ量を、前記判断手段により判断された頻度に反比例して段階的に減少させることを特徴とする。
【手続補正５】
【補正対象書類名】明細書
【補正対象項目名】０００８
【補正方法】変更
【補正の内容】
【０００８】
また、請求項６記載の発明に係る撮像装置にあっては、前記判断手段は、撮像動作に先立ち、直前の一定時間内における撮像動作の回数に基づいて直前の一定時間内における撮像動作の頻度を判断することを特徴とする。
【手続補正６】
【補正対象書類名】明細書
【補正対象項目名】０００９
【補正方法】変更
【補正の内容】
【０００９】
また、請求項７記載の発明に係る撮像装置にあっては、前記判断手段は、撮像動作に先立ち、前記一時記憶手段における前記画像データの一時記憶に使用可能な空き領域に基づいて直前の一定時間内における撮像動作の頻度を間接的に判断することを特徴とする。
【手続補正７】
【補正対象書類名】明細書
【補正対象項目名】００１０
【補正方法】変更
【補正の内容】
【００１０】
また、請求項８記載の発明に係る撮像装置にあっては、複数の読み出しモードに応じた異なる読み出し動作によって、前記撮像素子から各々の読み出しモードに応じた所定の画素数の画素情報からなる撮像信号を読み出す読み出し手段を備え、前記撮像動作制御手段は、前記読み出し手段が撮像信号を読み出す際の読み出しモードを前記判断手段により判断された頻度に応じて制御することによって、前記一時記憶手段に記憶する前記画像データのデータ量を、前記判断手段により判断された頻度に反比例して減少させることを特徴とする。
【手続補正８】
【補正対象書類名】明細書
【補正対象項目名】００１１
【補正方法】変更
【補正の内容】
【００１１】
また、請求項９記載の発明に係る撮像装置にあっては、前記読み出し手段は、前記撮像素子から垂直方向及び／又は水平方向に所定の画素数分の信号電荷が加算された撮像信号を読み出す画素加算読み出しモードに対応し、前記撮像動作制御手段は、前記読み出し手段が撮像信号を読み出す際の読み出しモードを必要に応じて前記画素加算読み出しモードに制御することを特徴とする。
【手続補正９】
【補正対象書類名】明細書
【補正対象項目名】００１２
【補正方法】変更
【補正の内容】
【００１２】
また、請求項１０記載の発明に係る撮像装置にあっては、前記撮像動作制御手段は、前記読み出し手段が撮像信号を読み出す際の読み出しモードを、必要に応じ、信号電荷を加算する画素数が互いに異なる複数の画素加算読み出しモードのいずれかの画素加算読み出しモードに制御することを特徴とする。
【手続補正１０】
【補正対象書類名】明細書
【補正対象項目名】００１３
【補正方法】変更
【補正の内容】
【００１３】
また、請求項１１記載の発明に係る撮像装置にあっては、前記撮像素子から読み出した撮像信号に基づく前記画像データのビット幅を所定のビット幅に調整するビット幅調整手段を備え、前記撮像動作制御手段は、前記ビット幅調整手段が調整する前記画像データのビット幅を制御することによって、前記一時記憶手段に記憶する前記画像データのデータ量を、前記判断手段により判断された頻度に反比例して減少させることを特徴とする。
【手続補正１１】
【補正対象書類名】明細書
【補正対象項目名】００１４
【補正方法】変更
【補正の内容】
【００１４】
また、請求項１２記載の発明に係る撮像方法にあっては、撮像動作に際し、撮像素子から撮像信号を読み出し、読み出した撮像信号に基づく画像データを一時記憶手段に一時記憶する撮像方法において、撮像動作に先立ち、撮像動作の頻度を判断する工程と、前記一時記憶手段に記憶する前記画像データのデータ量を、判断した頻度に反して減少させる工程とを含むことを特徴とする。
【手続補正１２】
【補正対象書類名】明細書
【補正対象項目名】００１５
【補正方法】変更
【補正の内容】
【００１５】
また、請求項１３記載の発明に係る撮像制御プログラムにあっては、撮像動作に際し、撮像素子から撮像信号を読み出し、読み出した撮像信号に基づく画像データを一時記憶手段に一時記憶する撮影装置が有するコンピュータを、撮像動作に先立ち、撮像動作の頻度を判断する判断手段と、前記一時記憶手段に記憶する前記画像データのデータ量を、前記判断手段により判断された頻度に反して減少させる撮像動作制御手段として機能させることを特徴とする。